(57)【要約】【課題】  本発明は魚釣用スピニングリールに係り、ベール支持部材の釣糸巻取り位置の安定化を図り乍ら、ベール支持部材の反転復帰時の衝撃（音）を緩和した魚釣用スピニングリールを提供することを目的とする。【解決手段】  ハンドル操作に連動回転するロータのロータアームに、ベール支持部材を介してベールを釣糸巻取り位置と釣糸放出位置とに反転自在に支持した魚釣用スピニングリールに於て、前記ロータアームとベール支持部材の対向部の一方に係合部を、他方に、前記ベール支持部材の釣糸巻取り位置への反転復帰時に、復帰巻取り位置手前から該復帰巻取り位置に亘って前記係合部が接触する摩擦抵抗部を設けたことを特徴とする。【選択図】    図３
2010200708.tif 000002
【特許請求の範囲】
【請求項１】
ハンドル操作に連動回転するロータのロータアームに、ベール支持部材を介してベールを釣糸巻取り位置と釣糸放出位置とに反転自在に支持した魚釣用スピニングリールに於て、
前記ロータアームとベール支持部材の対向部の一方に係合部を、他方に、前記ベール支持部材の釣糸巻取り位置への反転復帰時に、復帰巻取り位置手前から該復帰巻取り位置に亘って前記係合部が接触する摩擦抵抗部を設けたことを特徴とする魚釣用スピニングリール。
【発明の詳細な説明】
【技術分野】
【０００１】
本発明は魚釣用スピニングリールに係り、詳しくはベール支持部材（ベール）の釣糸巻取り状態への反転復帰時の衝撃（音）対策を図った魚釣用スピニングリールに関する。
【背景技術】
【０００２】
従来周知のように魚釣用スピニングリール（以下、「スピニングリール」という）は、ロータに設けた一対のロータアームの先端に、ベール支持部材を介して半環状のベールが釣糸巻取り位置と釣糸放出位置とに反転自在に取り付けられており、ベール支持部材は振分けバネ等の振分け付勢装置によって夫々の位置に振分け保持されている。
【０００３】
また、スピニングリールには、ハンドル操作によるロータの回転でベール支持部材を釣糸放出位置から釣糸巻取り位置に反転復帰させる自動反転復帰装置が備えられており、ベールを釣糸放出位置に起こして釣糸を放出した後、手動により、あるいはハンドル操作による前記自動反転復帰装置を介して、ベール支持部材を釣糸巻取り位置に反転復帰させるように構成されている。
【０００４】
ところで、従来、ベール支持部材を釣糸巻取り位置に反転復帰させる際に、手動または自動反転復帰装置に拘わらず、ベール支持部材とロータ間に衝撃（音）が発生してしまう不具合があり、斯かる衝撃（音）を緩和させるため、特許文献１または特許文献２に開示されるように、従来、様々な提案がなされている。
【０００５】
特許文献１に開示された従来例は、ベール支持部材が釣糸放出位置から釣糸巻取り位置へ復帰する際に、ベール支持部材の反転回動速度を釣糸巻取り位置手前でバネ部材を有する緩衝手段のバネ力で減速緩和させたものである。
【０００６】
また、特許文献２に開示された従来例は、ベール支持部材が釣糸放出位置から釣糸巻取り位置へ復帰する復帰巻取り位置手前で、ベール支持部材を高粘性流動体を具備した緩衝部材に係合させて、ベール支持部材の反転復帰時の復帰力を吸収緩和させたものである。
【先行技術文献】
【特許文献】
【０００７】
【特許文献１】特開平１０−３３０９５号公報
【特許文献２】特許第３３２５１８２号公報
【発明の概要】
【発明が解決しようとする課題】
【０００８】
しかし、特許文献１に開示された従来例は、バネ部材の作用によってベール支持部材の釣糸巻取り位置角度が安定せず、また、バネ部材を用いたバネ力緩和機構を収納する大きなスペースが必要で、部品点数が多くなって構造が複雑化することもあってロータバランスが取り難く、更にまた、衝撃（音）が解消しきれない等の課題が残されていた。
【０００９】
そして、特許文献２に開示された従来例も、高粘性流動体を具備した緩衝部材を収納する大きなスペースが必要で、構造も複雑化することもあって、特許文献１の従来例と同様、ロータバランスが取り難く、また、コスト高になる等の課題が残されていた。
【００１０】
本発明は斯かる実情に鑑み案出されたもので、ベール支持部材の釣糸巻取り位置の安定化を図り乍ら、ベール支持部材の反転復帰時の衝撃（音）を緩和したスピニングリールを提供することを目的とする。
【課題を解決するための手段】
【００１１】
斯かる目的を達成するため、請求項１に係る発明は、ハンドル操作に連動回転するロータのロータアームに、ベール支持部材を介してベールを釣糸巻取り位置と釣糸放出位置とに反転自在に支持したスピニングリールに於て、前記ロータアームとベール支持部材の対向部の一方に係合部を、他方に、前記ベール支持部材の釣糸巻取り位置への反転復帰時に、復帰巻取り位置手前から該復帰巻取り位置に亘って前記係合部が接触する摩擦抵抗部を設けたことを特徴とする。
【発明の効果】
【００１２】
請求項１に係る発明によれば、従来に比し簡単な構造で、ベール支持部材の釣糸巻取り位置の安定化を図り乍ら、ベール支持部材の反転復帰時の衝撃（音）を効率よく緩和することができる。
【図面の簡単な説明】
【００１３】
【図１】請求項１の第一実施形態に係るスピニングリールの要部切欠き側面図である。
【図２】ベール支持部材とロータアームの断面図である。
【図３】釣糸巻取り位置に於ける係合突起と摩擦抵抗部の説明図である。
【図４】図６のVI−VI線断面図である。
【図５】図３のV−V線断面図である。
【図６】釣糸放出位置に於ける係合突起と摩擦抵抗部の説明図である。
【図７】ベール支持部材の復帰装置の説明図である。
【図８】請求項１の第二実施形態に係るスピニングリールの釣糸巻取り位置に於ける係合突起と摩擦抵抗部の説明図である。
【図９】請求項１の第三実施形態に係るスピニングリールの釣糸巻取り位置に於ける係合突起と摩擦抵抗部の説明図である。
【発明を実施するための形態】
【００１４】
以下、本発明の実施形態を図面に基づいて詳細に説明する。
【００１５】
図１乃至図７は請求項１の第一実施形態に係るスピニングリールを示し、図１中、１はスピニングリール３のリール本体で、リール本体１の前側にフライヤ軸（図示せず）を介してロータ５が回転可能に軸着され、ロータ５にはこれと一体に一対のロータアーム７，８がリール本体１の前後方向に設けられている。そして、一対のロータアーム７，８の先端に、半環状のベール９が一対のベール支持部材１１，１３を介して釣糸巻取り位置と釣糸放出位置とに反転自在に取り付けられている。
【００１６】
更に、リール本体１にはロータ５と同軸上にスプール１５が装着され、スプール１５は、リール本体１にトラバース運動可能に取り付くスプール軸１７の先端にナット（図示せず）を介して螺着されている。そして、リール本体１の一側部に釣糸巻取用のハンドル１９が装着されており、ハンドル１９のハンドル軸２１とロータ５は、駆動歯車２３やピニオン２５からなる周知のギヤ機構２７を介して連繋され、また、スプール軸１７は、その後端部に固着した摺動子２９やトラバースカム軸３１からなる周知のトラバース機構３３により、ロータ５の回転に連動してリール本体１の前後方向へ往復動するようになっている。
【００１７】
そして、スプール１５に、釣糸を案内する釣糸案内部（ラインローラ）３５が一方のベール支持部材１１に軸受（図示せず）を介して回転可能に取り付けられている。
【００１８】
前記ベール支持部材１１，１３は、一方のロータアーム７内に装着した振分け付勢装置３７によって、図２及び図７の実線で示す釣糸巻取り位置と、図６の二点鎖線で示す釣糸放出位置とに振り分け保持され、また、釣糸放出位置にあるベール支持部材１１，１３は、図７に示すロータアーム８内の自動反転復帰装置（以下、「復帰装置」という）３９によって釣糸巻取り位置へ反転復帰するようになっている。
【００１９】
図２，図３及び図６は振分け付勢装置３７の詳細を示し、この振分け付勢装置３７は従来周知のもので、ロータアーム７にピン軸４１を介して回転可能に取り付く収納筒４３内に、コイルスプリング４５が巻装された作動桿４７が挿入しており、作動桿４７の上部はＬ字状に折曲されてベール支持部材１１の基部４９に係止している。そして、作動桿４９の上部側に設けた係止部５１にコイルスプリング４５が圧接しており、図３に示すように、ベール支持部材１１のロータアーム７への取付ピン５３の中心と前記ピン軸４３の中心とを結ぶデッドポイント位置Ｄを境に、振分け付勢装置３７はコイルスプリング４５のバネ力で取付ピン５３を回転中心にベール支持部材７を正，逆両方向へ回転させて、ベール支持部材１１，１３（ベール９）を、図２，図３及び図７で示す釣糸巻取り位置と図６に示す釣糸放出位置とに振分け付勢保持するようになっている。
【００２０】
尚、図２及び図３中、５５はロータアーム７に設けた収容部で、該収容部５５内に前記振分け付勢装置３７が収容され、収容部５５全体はカバー５７で覆われている。
【００２１】
図７は復帰装置３９の詳細を示し、この復帰装置３９も従来周知のもので、図中、５９はロータアーム８の長手方向に沿って該ロータアーム８に形成されたガイド溝で、該ガイド溝５９内にキック部材６１が上下動可能に装着されている。そして、キック部材６１の上部６３はＬ字状に折曲されて、ベール支持部材１３の基部６５に形成された円弧状の長孔６７に係合し、下部６９はリール本体１の内方へ向けてＬ字状に折曲された構造となっている。
【００２２】
そして、ベール支持部材１１，１３が図６及び図７の二点鎖線で示す釣糸放出位置にあるとき、図７の二点鎖線で示すようにキック部材６１の下部６９はガイド溝５９内からロータアーム８の外部に突出して、リール本体１の前部に形成された復帰用突部７１が衝突可能な位置に配置されている。
【００２３】
また、前記長孔６７は、ベール支持部材１３の基部６５をロータアーム８に回転可能に取り付ける取付ピン７３を中心に設けられており、ベール支持部材１１，１３が釣糸放出位置にあるとき、前記キック部材６１の上部６３が長孔６７の一端側の釣糸放出位置度当て７５に当接している。
【００２４】
そして、斯様にベール支持部材１１，１３が釣糸放出位置にある状態で、ハンドル１を操作してロータ５を釣糸巻取り方向へ回転させると、キック部材６１の下部６９が前記復帰用突部７１に衝突してキック部材６１が上方へ押し上げられるため、キック部材６１が前記釣糸放出位置度当て７５を介してベール支持部材１１，１３を釣糸巻取り位置方向へ押し上げ、前記振分け付勢装置３５がデッドポイント位置Ｄを超えると、長孔６７の他端側の釣糸巻取り位置度当て７７がキック部材６１の上部６３に当接して、該キック部材６１を引き上げ乍らロータアーム８のガイド溝５９内に完全に収納させるようになっている。
【００２５】
また、図３，図５及び図６に示すようにロータアーム７側にも、前記取付ピン５３を中心に円弧状の長孔７９が形成され、これに対向するベール支持部材１１の基部４９側に、該長孔７９に挿入する係止突起８１が突設されている。そして、図３に示すようにベール支持部材１１，１３が釣糸放出位置にあるとき、前記係止突起８１が長孔７９の一端側の釣糸巻取り位置度当て８３に当接してベール支持部材１１，１３の同方向への回転が規制され、また、図６に示すようにベール支持部材１１，１３が釣糸放出位置にあるとき、係止突起８１が長孔７９の他端側の釣糸放出位置度当て８５に当接してベール支持部材１１，１３の同方向の回転が規制されている。
【００２６】
そして、本実施形態に係るスピニングリール３は、上述した構成に加え、以下の如き特徴を有している。
【００２７】
即ち、図１乃至図４及び図６に示すように、ロータアーム７に対向するベール支持部材１１の基部４９の対向面（対向部）８７に、取付ピン５３を中心とする正面視円弧状の長孔８９が断面略コ字状に設けられている。
【００２８】
一方、前記長孔８９に対向してロータアーム７側の対向面（対向部）９１には、該長孔８９に挿入する係合突起（係合部）９３が突設されており、図３及び図６に示すように長孔８９はベール支持部材１１，１３の反転復帰角に亘って形成されて、ベール支持部材１１，１３の操作に支障を来すことがないように設定されている。
【００２９】
そして、前記長孔８９内に、該長孔８９の内周形状に沿って形成されて対向壁部９５，９７を有する皿状のゴム製の弾性部材からなる摩擦抵抗部９９が収納，装着されている。
【００３０】
図３及び図６に示すように対向壁部９５，９７は、釣糸放出位置からベール支持部材１１，１３の釣糸巻取り位置への復帰巻取り位置手前まで薄肉に形成されて、係合突起９３と非接触状態にある。そして、対向壁部９５，９７は、ベール支持部材１１，１３の釣糸巻取り位置への復帰巻取り位置手前で、該復帰巻取り位置へと順次厚肉に形成されて隙間が幅狭となる幅狭部９６（摩擦発生部）が形成されており、この幅狭部９６は、復帰巻取り位置へと係合突起９３が移動し乍ら接触，係合可能な肉厚に形成されている。
【００３１】
そして、ベール支持部材１１，１３の釣糸巻取り位置への反転復帰時に、復帰巻取り位置手前の幅狭部９６から該復帰巻取り位置に亘って係合突起９３が摩擦抵抗部９９の対向壁部９５，９７に摩擦接触することにより、反転復帰時の衝撃が緩和されると共に、ベール支持部材１１，１３が釣糸巻取り位置まで確実に反転復帰できるようになっている。
【００３２】
本実施形態はこのように構成されているから、ベール９を介してベール支持部材１１，１３を釣糸放出位置に起こしてキャスティングすると、スプール１５に巻回された釣糸がスパイラル状に解かれて放出され、また、手動により、あるいはハンドル１９の巻取り操作でベール支持部材１１，１３が前記復帰装置３９によって釣糸巻取り位置へ反転すると、ベール９から釣糸案内部３５に案内された釣糸がロータ５の回転に連動して前後方向へ往復動するスプール１５に巻回されるが、ベール支持部材１１，１３の釣糸巻取り位置への反転復帰時に、復帰巻取り位置手前から復帰巻取り位置に亘って係合突起９３が摩擦抵抗部９９を構成する対向壁部９５，９７の幅狭部９６に摩擦接触することで、反転復帰時の衝撃（音）が緩和されると共に、係合突起９３が対向壁部９５，９７に接触し乍ら復帰巻取り位置まで移動することで、ベール支持部材１１，１３が釣糸巻取り位置まで確実に反転復帰することとなる。
【００３３】
従って、本実施形態によれば、摩擦抵抗部９９の大きな取付スペースを確保することなく、従来に比し簡単な構造で、ベール支持部材１１，１３の釣糸巻取り位置の安定化を図り乍ら、ベール支持部材１１，１３の反転復帰時の衝撃（音）を効率よく緩和することができる。
【００３４】
而も、摩擦抵抗部９９の対向壁部９５，９７は、釣糸放出位置からベール支持部材１１，１３の釣糸巻取り位置への復帰巻取り位置手前まで薄肉に形成されて係合突起９３と非接触状態にあるため、ベール支持部材１１，１３の反転復帰や釣糸放出位置への操作もスムーズに行える。
【００３５】
また、ベール支持部材１１側に対向壁部９３，９５を有する皿状の摩擦抵抗部９９を設けることにより、ロータ５の高速回転による遠心力の作用で油分等が外部に流出することが防止できる。
【００３６】
尚、前記実施形態では、図６に示すようにベール支持部材１１側に長孔８９を設けて摩擦抵抗部９９を装着し、該長孔８９に対向してロータアーム７側に係合突起９３を設けたが、これとは逆に、ベール支持部材１１側に前記係合突起９３を設け、ロータアーム７側に前記長孔８９を形成して摩擦抵抗部９９を装着してもよい。また、この場合、前記長孔７９をベール支持部材１１側に設け、係止突起８１をロータアーム７側に設けることとなる。
【００３７】
図８は請求項１の第二実施形態に係り、本実施形態はゴム製の前記摩擦抵抗部９９に代え、板バネを断面略コ字状に形成して、前記係合突起９３が摩擦，係合して摩擦力を作用する摩擦抵抗部１０１としたもので、前記長孔８９と同様の長孔（図示せず）がベール支持部材１１の基部４９に形成され、該長孔の一端側に、前記係合突起９３が係合可能に前記摩擦抵抗部１０１を構成する板バネの両端が開口して、係合突起９３を受け入れ可能に装着されている。
【００３８】
そして、ベール支持部材１１，１３の釣糸巻取り位置への反転復帰時に、釣糸巻取り位置への復帰巻取り位置手前で係合突起９３が摩擦抵抗部１０１内に板バネのバネ力に抗して係合し、そして、ベール支持部材１１，１３が釣糸巻取り位置へと復帰するに伴い、弾性的に拡開する摩擦抵抗部１０１に係合突起９３が接触，係合し乍ら、摩擦抵抗部１０１が復帰巻取り位置へ移動することにより、反転復帰時の衝撃が緩和されると共に、ベール支持部材１１，１３が釣糸巻取り位置まで確実に反転復帰できるようになっている。
【００３９】
尚、その他の構成は前記実施形態と同様であるので、同一のものには同一符号を付してそれらの説明は省略する。
【００４０】
本実施形態はこのように構成されているから、本実施形態によっても、前記実施形態と同様、所期の目的を達成することが可能で、摩擦抵抗部１０１の大きな取付スペースを確保することなく、従来に比し簡単な構造で、ベール支持部材１１，１３の釣糸巻取り位置の安定化を図り乍ら、ベール支持部材１１，１３の反転復帰時の衝撃（音）を効率よく緩和することができる。
【００４１】
図９は請求項１の第三実施形態に係り、本実施形態は前記摩擦抵抗部１０１に代え、ベール支持部材１１，１３の釣糸巻取り位置への反転復帰時に、釣糸巻取り位置への復帰巻取り位置手前で係合突起９３が接触する一枚の板バネを摩擦抵抗部１０３としたもので、ベール支持部材１１，１３が釣糸巻取り位置へと復帰するに伴い、摩擦抵抗部１０３が矢印方向へ弾性的に変形し乍ら反転復帰時の衝撃を緩和すると共に、ベール支持部材１１，１３が釣糸巻取り位置まで確実に反転復帰できるようになっている。
【００４２】
そして、本実施形態に於ても、その他の構成は図１の実施形態と同様であるので、同一のものには同一符号を付してそれらの説明は省略する。
【００４３】
本実施形態はこのように構成されており、実施形態によっても、既述した各記実施形態と同様、所期の目的を達成することが可能で、摩擦抵抗部１０３の大きな取付スペースを確保することなく、従来に比し簡単な構造で、ベール支持部材１１，１３の釣糸巻取り位置の安定化を図り乍ら、ベール支持部材１１，１３の反転復帰時の衝撃（音）を効率よく緩和することが可能である。
【００４４】
尚、摩擦抵抗部は弾性変形可能で係合突起９３が接触移動するときに多少の摩擦を発生するものであればよく、材質，形状等は前記各実施形態の摩擦抵抗部９９，１０１，１０３に限定されるものではない。
【符号の説明】
【００４５】
１  リール本体
３  スピニングリール
５  ロータ
７，８  ロータアーム
９  ベール
１１，１３  ベール支持部材
１５  スプール
１９  ハンドル
３７  振分け付勢装置
３９  復帰装置
８７，９１  対向面（対向部）
８９  長孔
９３  係合突起（係合部）
９５，９７  対向壁部
９６  幅狭部
９９，１０１，１０３  摩擦抵抗部
【図１】
2010200708.tif 000003
【図２】
2010200708.tif 000004
【図３】
2010200708.tif 000005
【図４】
2010200708.tif 000006
【図５】
2010200708.tif 000007
【図６】
2010200708.tif 000008
【図７】
2010200708.tif 000009
【図８】
2010200708.tif 000010
【図９】
2010200708.tif 000011